(57)【要約】【課題】  ＱＲコード等からなる２次元バーコードを用いた券情報処理システムを構築する。【解決手段】  所定の中央管理装置の管理の下に所定の２次元バーコードからなる券情報を生成する券情報生成手段と、生成された所定の２次元バーコードからなる券情報を通信回線網を介してその券情報を基に所定の処理を行う券情報処理機に配信する券情報配信手段と、生成された所定の２次元バーコードからなる券情報が前記所定の券情報処理機の光学読取部にかざされたときに、前記所定の中央管理装置から配信された券情報及びその光学読取部で読取られた券情報を照合する照合手段と、照合一致が得られたときに前記券情報処理機において所定の処理を行うとともに、一度その所定の処理を行ったときには同じその所定の処理を禁止する券情報処理機制御手段とからなる。【選択図】      図１
2006059249.tif 000002
【特許請求の範囲】
【請求項１】
所定の中央管理装置の管理の下に所定の２次元バーコードからなる券情報を生成する券情報生成手段と、
生成された所定の２次元バーコードからなる券情報を通信回線網を介してその券情報を基に所定の処理を行う券情報処理機に配信する券情報配信手段と、
生成された所定の２次元バーコードからなる券情報が前記所定の券情報処理機の光学読取部にかざされたときに、前記所定の中央管理装置から配信された券情報及びその光学読取部で読取られた券情報を照合する照合手段と、
照合一致が得られたときに前記券情報処理機において所定の処理を行うとともに、一度その所定の処理を行ったときには同じその所定の処理を禁止する券情報処理機制御手段と、
からなることを特徴とする券情報処理システム。
【請求項２】
請求項１に記載の券情報処理システムにおいて、所定の中央管理装置の管理の下に生成された所定の２次元バーコードからなる券情報は、利用者の所持する携帯端末機に通信回線網を介して送信され、その携帯端末機の表示画面に表示されるものであることを特徴とする券情報処理システム。
【請求項３】
請求項２に記載の券情報処理システムにおいて、携帯端末機は、携帯電話機であることを特徴とする券情報処理システム。
【請求項４】
請求項１に記載の券情報処理システムにおいて、所定の中央管理装置の管理の下に生成された所定の２次元バーコードからなる券情報は、利用者の所持するプリンタに通信回線網を介して送信され、そのプリンタによりプリントアウトされるものであることを特徴とする券情報処理システム。
【請求項５】
請求項１に記載の券情報処理システムにおいて、所定の中央管理装置の管理の下に生成された所定の２次元バーコードからなる券情報は、自動券売機から発行される媒体に印字されるものであることを特徴とする券情報処理システム。
【請求項６】
請求項１〜５のいずれかに記載の券情報処理システムにおいて、所定の中央管理装置の管理の下に生成される２次元バーコードからなる券情報は乗車券情報であり、所定の券情報処理機は自動改札機であることを特徴とする券情報処理システム。
【請求項７】
請求項６に記載の券情報処理システムにおいて、所定の中央管理装置の管理の下に生成された２次元バーコードからなる乗車券情報は、その乗車券の乗車区間内の各駅にそれぞれ設置されている自動改札機に配信されるものであることを特徴とする券情報処理システム。
【請求項８】
請求項７に記載の券情報処理システムにおいて、自動改札機は、２次元バーコードからなる乗車券情報を用いて入出場処理したときに、その入出場処理した所定の情報を所定の中央管理装置に送信するものであることを特徴とする券情報処理システム。
【請求項９】
請求項８に記載の券情報処理システムにおいて、所定の中央管理装置は、自動改札機から入出場処理した所定の情報を受信したときに、その自動改札機以外の他の自動改札機にその入出場処理した所定の情報を送信することを特徴とする券情報処理システム。
【発明の詳細な説明】
【技術分野】
【０００１】
本発明は、２次元バーコードからなる券情報を処理する券情報処理システムに関する。
【背景技術】
【０００２】
２次元バーコードからなる券情報を用いて顧客管理等の所定の処理を行うことは公知である（特許文献１参照）。この２次元バーコードからなる券情報は、通常の用紙に印字することができるので、磁気カードやＩＣカードに比べて安価であり、さらに、外部からの磁気作用等によって情報が破壊されたり、変質したりしないという特長がある。このような特長があるため、商品管理等に広く利用されている。
【特許文献１】特開平５−２５０３８９号公報
【発明の開示】
【発明が解決しようとする課題】
【０００３】
上述のように、２次元バーコードからなる券情報は、手軽で丈夫であり、しかもＱＲコードと呼ばれるような情報量の大きいものも存在するので、このような２次元バーコートと近年の発達したＩＴ技術とを組合わせることにより、鉄道の駅などにおいて効率のよい入出場処理（本発明で入出場処理というときは、入場処理又は出場処理を指している。）ができるのではないかと期待されていた。
【０００４】
そこで、本発明は、上記要望に応えるためになされたものであって、その目的は、２次元バーコードとＩＴ技術とを組合わせて入出場処理等に好適な券情報処理システムを提供することにある。
【課題を解決するための手段】
【０００５】
本発明に係る券情報処理システムは、上記目的を達成するために、請求項１に記載の発明は、所定の中央管理装置の管理の下に所定の２次元バーコードからなる券情報を生成する券情報生成手段と、生成された所定の２次元バーコードからなる券情報を通信回線網を介してその券情報を基に所定の処理を行う券情報処理機に配信する券情報配信手段と、生成された所定の２次元バーコードからなる券情報が前記所定の券情報処理機の光学読取部にかざされたときに、前記所定の中央管理装置から配信された券情報及びその光学読取部で読取られた券情報を照合する照合手段と、照合一致が得られたときに前記券情報処理機において所定の処理を行うとともに、一度その所定の処理を行ったときには同じその所定の処理を禁止する券情報処理機制御手段と、からなることを特徴としている。
本発明の請求項２に記載の券情報処理システムは、所定の中央管理装置の管理の下に生成された所定の２次元バーコードからなる券情報は、利用者の所持する携帯端末機に通信回線網を介して送信され、その携帯端末機の表示画面に表示されるものであることを特徴としている。
本発明の請求項３に記載の券情報処理システムは、携帯端末機は、携帯電話機であることを特徴としている。
本発明の請求項４に記載の券情報処理システムは、所定の中央管理装置の管理の下に生成された所定の２次元バーコードからなる券情報は、利用者の所持するプリンタに通信回線網を介して送信され、そのプリンタによりプリントアウトされるものであることを特徴としている。
本発明の請求項５に記載の券情報処理システムは、所定の中央管理装置の管理の下に生成された所定の２次元バーコードからなる券情報は、自動券売機から発行される媒体に印字されるものであることを特徴としている。
本発明の請求項６に記載の券情報処理システムは、所定の中央管理装置の管理の下に生成される２次元バーコードからなる券情報は乗車券情報であり、所定の券情報処理機は自動改札機であることを特徴としている。
本発明の請求項７に記載の券情報処理システムは、所定の中央管理装置の管理の下に生成された２次元バーコードからなる乗車券情報は、その乗車券の乗車区間内の各駅にそれぞれ設置されている自動改札機に配信されるものであることを特徴としている。
本発明の請求項８に記載の券情報処理システムは、自動改札機は、２次元バーコードからなる乗車券情報を用いて入出場処理したときに、その入出場処理した所定の情報を所定の中央管理装置に送信するものであることを特徴としている。
本発明の請求項９に記載の券情報処理システムは、所定の中央管理装置は、自動改札機から入出場処理した所定の情報を受信したときに、その自動改札機以外の他の自動改札機にその入出場処理した所定の情報を送信することを特徴としている。
【発明の効果】
【０００６】
本発明の請求項１に記載の券情報処理システムは、所定の中央管理装置の管理の下に所定の２次元バーコードからなる券情報を生成する券情報生成手段と、生成された所定の２次元バーコードからなる券情報を通信回線網を介してその券情報を基に所定の処理を行う券情報処理機に配信する券情報配信手段と、生成された所定の２次元バーコードからなる券情報が前記所定の券情報処理機の光学読取部にかざされたときに、前記所定の中央管理装置から配信された券情報及びその光学読取部で読取られた券情報を照合する照合手段と、照合一致が得られたときに前記券情報処理機において所定の処理を行うとともに、一度その所定の処理を行ったときには同じその所定の処理を禁止する券情報処理機制御手段とからなるので、２次元バーコードとインターネット等の通信回線網とを用いて、利用者の利便性を高めながら各種施設への入場処理や鉄道における入出場処理等の所定の処理を効率よく行うことができる。しかも、２次元バーコードの使用は同じ処理が１回しかできないので、不正な使用を効果的に防止することができる。
本発明の請求項２に記載の券情報処理システムは、所定の中央管理装置の管理の下に生成された所定の２次元バーコードからなる券情報は、利用者の所持する携帯端末機に通信回線網を介して送信され、その携帯端末機の表示画面に表示されるので、２次元バーコードからなる券情報は、利用者の所持する携帯端末機を介して極めて容易に入手できるので、利用者の利便性を高めることができる。
本発明の請求項３に記載の券情報処理システムは、携帯端末機は、携帯電話機であるので、利用者は、普及している携帯電話機を用いて、つまり現在使用中の携帯電話機を用いて２次元バーコードからなる券情報を容易に入手することができる。
本発明の請求項４に記載の券情報処理システムは、所定の中央管理装置の管理の下に生成された所定の２次元バーコードからなる券情報は、利用者の所持するプリンタに通信回線網を介して送信され、そのプリンタによりプリントアウトされるので、利用者は自宅や職場に設置されているプリンタを用いて２次元バーコードからなる券情報を容易に入手することができる。
本発明の請求項５に記載の券情報処理システムは、所定の中央管理装置の管理の下に生成された所定の２次元バーコードからなる券情報は、自動券売機から発行される媒体に印字されるので、利用者は、自動券売機を利用しても２次元バーコードからなる券情報を入手できるので、より利便性を高めることができる。
本発明の請求項６に記載の券情報処理システムは、所定の中央管理装置の管理の下に生成される２次元バーコードからなる券情報は乗車券情報であり、所定の券情報処理機は自動改札機であるので、利用者は、自動改札機で使用する２次元バーコードからなる乗車券を容易に入手することができる。すなわち、利用者は、インターネットを利用して２次元バーコードからなる乗車券を入手して列車に乗車することができる。
本発明の請求項７に記載の券情報処理システムは、所定の中央管理装置の管理の下に生成された２次元バーコードからなる乗車券情報は、その乗車券の乗車区間内の各駅にそれぞれ設置されている自動改札機に配信されるので、自動改札機では、２次元バーコードからなる乗車券の処理を効率よく行うことができる。
本発明の請求項８に記載の券情報処理システムは、自動改札機は、２次元バーコードからなる乗車券情報を用いて入出場処理したときに、その入出場処理した所定の情報を所定の中央管理装置に送信するので、中央管理装置では、２次元バーコードからなる乗車券の使用状態を正確に把握することができる。
本発明の請求項９に記載の券情報処理システムは、所定の中央管理装置は、自動改札機から入出場処理した所定の情報を受信したときに、その自動改札機以外の他の自動改札機にその入出場処理した所定の情報を送信するので、他の駅の自動改札機では、２次元バーコードからなる乗車券の重複使用等の不正使用を効率よく防止することができる。
【発明を実施するための最良の形態】
【０００７】
以下、本発明を実施するための最良の形態を図面に基づいて説明する。図１は、一実施の形態に係る券情報処理システムの概略構成図である。ここでは、２次元バーコードからなる券情報は、列車（電車）に乗車するときに用いられる乗車券情報として示されている。
【０００８】
図１中、１は、鉄道会社の本社等の所定の中央に設けられた中央管理装置であり、ホストコンピュータを中心に構成されている。この中央管理装置１は、図示しない列車運行管理装置とも接続されていて、２次元バーコードからなる乗車券の発行、使用状態等を一元的に管理できるように構成されているとともに、利用者（旅客）の開設している口座の金融機関のホストコンピュータ２とも通信回線網（公衆回線網及びインターネットを含む。）Ｌ1 を介して接続されていて、利用者が２次元バーコードからなる乗車券を購入したときの購入代金の引落し処理ができるように構成されている。
【０００９】
図１中、３は、本発明の利用者の所持する携帯端末機の一種の携帯電話機（ＰＨＳを含む。）であり、基地局４及び通信回線網Ｌ1 を介して中央管理装置１と接続できるように構成されている。なお、携帯端末機としては、表示画面を有するものであれば使用でき、上述の携帯電話機３以外にＰＤＡ等を使用することも可能である。
【００１０】
図１中、５は、通信回線網Ｌ1 に接続されたパーソナルコンピュータ（パソコン）であり、利用者の自宅又は職場に設けられ、このパソコン５には、プリンタ６が接続されている。
【００１１】
図１中、Ｌ2 は、鉄道会社の各駅に設けられている駅務機器と中央管理装置１との間で通信を行うための通信回線網、いわゆる駅間ネットワークである。この駅間ネットワークＬ2 は、多くの駅務機器が接続されているが、図示の例では、図面を簡略化するために、ある一つの駅に設置されている自動改札機Ｇ及び自動券売機ａのみが駅務機器制御装置、いわゆる駅制７を介して駅間ネットワークＬ2 に接続されている。なお、自動改札機Ｇは、監視盤を介して駅制７に接続されるが、ここではその監視盤は省略されている。
【００１２】
図１中、Ｃ1 〜Ｃ3 は、２次元バーコードからなる本発明の券情報に相当する乗車券情報であり、ここではＱＲコードとして示されている。これら２次元バーコードＣ1 〜Ｃ3 のうち、２次元バーコードＣ1 は、利用者の所持する携帯電話機３の表示画面３ａに表示されたものであり、２次元バーコードＣ2 は、プリンタ６から打出された用紙６ａに印字されたものであり、そして、２次元バーコードＣ3 は、自動券売機ａの発券口ａ′から発行された用紙（本発明の媒体に相当している。）ａ″に印字されたものである。なお、これら２次元バーコードＣ1 〜Ｃ3 は、ＱＲコードからなっているが、バーのみからなるコードであってもよい。
【００１３】
図２は、本発明に係る券情報処理システムで用いられる自動改札機（以下、「改札機」という。）Ｇの斜視図であり、その改札機Ｇを構成する一対の筐体のうちの一方の筐体Ｈを改札通路Ｐ側から見たものである。図２中、１０は、筐体Ｈの改札通路Ｐの通過方向の進入（入口）側に設けられた磁気券からなる乗車券の投入口、１１は、その筐体Ｈの上面で改札通路Ｐの進出（出口）側に設けられた取出口であり、１２は、その取出口１１の近傍に設けられた利用者に対して文字により所定の内容を案内するための表示画面である。また、図２中、１３は、筐体Ｈの側面に設けられた利用者に対して音声により案内するためのスピーカである。
【００１４】
上記投入口１０及び取出口１１間の筐体Ｈ内には、図示しないカードハンドラが設けられている。このカードハンドラは、投入口１０から投入された乗車券を取出口１１又は筐体Ｈ内に設けられた図示しない集札箱まで搬送させることができるように構成されている。そして、その搬送の途中において、投入口１０に投入された磁気券からなる乗車券に記録されているデータを読取り、新たなデータを書込み、必要に応じてパンチや印字を行い、利用者へ返却する必要のある乗車券を取出口１１に排出し、筐体Ｈ内に回収する必要のある乗車券を集札箱へ集札できるように構成されている。
【００１５】
図２中、１４は、投入口１に隣接して筐体Ｈの上面に設けられた光学読取部である。この光学読取部１４は、周知のバーコード読取ユニットの光学読取部と同様に、光学読取部１４にかざされた２次元バーコードＣ1 〜Ｃ3 に光線を照射し、反射光から２次元バーコードＣ1 〜Ｃ3 の内容を読取ることができるように構成されている。
【００１６】
図２中、１５はアンテナであって、筐体Ｈの上面で、光学読取部１４よりも出口側に設けられていて、無線通信機能を備えた非接触型ＩＣカードからなる非接触券と交信できるように構成されている。また、図２中、Ｂはセンサ取付ボックスであって、筐体Ｈの上面で、かつ、改札通路Ｐと反対側に設けられ、その改札通路Ｐに沿って設けられている。このセンサ取付ボックスＢ内には、反射型センサからなる人間検知器Ｓ，Ｓ，Ｓが改札通路Ｐの入口側、中央部及び出口側にそれぞれ内蔵されていて、改札通路Ｐ内の大人の利用者を検知することができるように構成されている。また、Ｓ′，Ｓ′…は、光電素子からなる透過型センサからなる人間検知器であって、一対の筐体間の改札通路Ｐ側に所定の間隔を保って設けられていて、改札通路Ｐ内の利用者位置を検知することができるように構成されている。そして、これら透過型センサからなる人間検知器Ｓ′，Ｓ′…で検知され、かつ、上述の反射型センサからなる人間検知器Ｓ，Ｓ，Ｓで検知されないときは、その利用者は子供（小児）の利用者と判定される。
【００１７】
図１中、Ｄ1 ，Ｄ2 は、改札通路Ｐを開閉するドアであり、これらドアＤ1 ，Ｄ2 のうち、ドアＤ1 は改札通路Ｐの出口側に設けられ、ドアＤ2 はその入口側に設けられている。そして、これらドアＤ1 ，Ｄ2 は、改札機Ｇを統括的に制御する後述する制御器１６により駆動されるように構成されている。
【００１８】
制御器１６は、図３に示されるように、ＲＯＭ２０に格納されているシステムプログラム及びＲＡＭ２１に格納されているワーキングデータを用いて所定の入出場の演算処理を行う中央処理部（ＣＰＵ）２２を有している。ＣＰＵ２２は、Ｉ／Ｏユニット２３を介して投入口１０から取込んだ磁気券からなる乗車券を処理するカードハンドラ２４と、ドアＤ1 ，Ｄ2 を駆動制御するドアドライバ２５と、光学読取部１４を含んで構成される光学読取ユニット２６と、アンテナ１５を介して非接触券に記録されているデータを読取るとともに、新たなデータを書込むためのリーダライタ２７と、上位装置（駅制７）側と通信を行うための通信制御部２８とが接続されている。なお、Ｉ／Ｏユニット２３には、人間検知器Ｓ，Ｓ，Ｓ、Ｓ′，Ｓ′…のセンサアンプ等も接続されているが、ここでは省略されている。
【００１９】
以下、図４（ａ），（ｂ）のフローチャートを用いて制御動作について説明する。図４（ａ）は、利用者が２次元バーコードからなる乗車券情報を入手するためのフローチャートであり、ここでは、利用者は携帯電話機３を用いて座席指定の特急列車に乗車するための乗車券を入手する例が示されている。
【００２０】
今、利用者が自己の所有する携帯電話機３を操作して中央管理装置１を発呼し、その携帯電話機３と中央管理装置１とが接続されたとする（ステップ１００肯定。以下、ステップを「Ｓ」とする。）。携帯電話機１が中央管理装置１と接続されると、携帯電話機３の表示画面３ａには、特急券を購入するための案内画面が表われ、その案内に従って利用者が希望する特急列車情報（特急列車の名称、乗車日時、乗車区間、禁煙席…）が携帯電話機３を介して中央管理装置１に入力される（Ｓ１０２）。なお、利用者の購入する乗車券の種類が回数券の場合は、区間や種別（普通回数券、土日回数券等の種別）、使用開始日等が入力される。さらに、他の種類の乗車券の場合は、その種類に応じた内容が入力される。
【００２１】
さて、利用者の希望する特急列車に乗車できるときは（Ｓ１０４肯定）、利用者の金融機関の口座の残額が乗車券（特急券）を購入できる以上であれば（Ｓ１０６肯定）、利用者の携帯電話機３にその特急列車に係る乗車券情報が中央管理装置１から送信されて記憶されるとともに、中央管理装置１からその乗車券情報の乗車区間に含まれる各駅に配信されて、各駅の改札機Ｇにそれぞれ記憶される（Ｓ１０８）。
【００２２】
すなわち、ここでは、利用者は、予め鉄道会社と口座引落しの契約を結んでいるときに携帯電話機３及びパソコン５（プリンタ６）を用いて乗車券を購入できるように運用されている。したがって、口座の残額が乗車券購入代金を満たすときに乗車券の購入ができ、不足するときは乗車券の購入は拒否される（Ｓ１０６否定、Ｓ１０７）。なお、ここでは、乗車券の購入代金の支払いは口座引落しとしたが、後払い等の他の支払い方法を採用してもよいことはもちろんである。
【００２３】
携帯電話機３に乗車券情報が記憶されると、その携帯電話機３の表示画面には、所定の操作を行うことにより乗車券情報（特急券情報）に係る２次元バーコードＣ1 を表示することが可能となる。この表示された２次元バーコードＣ1 の使用については後に述べるが、表示画面３ａには、特急列車に係る各種の情報を表示することが可能となる。すなわち、携帯電話機３には、中央管理装置１で所定の乗車券情報（特急券情報）を生成したときは、その特急券に係る基本的な情報（特急列車名、乗車日時、発着時刻、座席番号…）以外に、その特急券に係るサービス情報、例えば、乗車区間内における沿線の催し物、名物、観光名所等の案内情報も併せて提供するので、利用者はその案内情報も必要に応じて表示して見ることができる。
【００２４】
上述の説明は、利用者が携帯電話機３を用いて乗車券情報（特急券）を入手した場合であるが、パソコン５及びプリンタ６を用いた場合も同様にして乗車券情報を入手することができる。この場合は、用紙６ａに２次元バーコードＣ2 を印字して後の入出場用とされる。また、自動券売機ａを用いて２次元バーコードからなる乗車券情報（特急券情報）を得るには、自動券売機ａに特急券に係る情報をタッチパネルを用いて入力し、さらに購入金額を満たす金銭を投入すると、発券口ａ′から２次元バーコードＣ3 の印字された用紙ａ″が発行される。この自動券売機ａ及びパソコン５の場合も、上述の携帯電話機３の場合と同様に、乗車券情報が生成されたときは、各駅へその乗車券情報が配信される。
【００２５】
なお、各駅へ配信される乗車券情報は、中央管理装置１で生成された全ての乗車券情報とすることができるが、通信負荷を軽減して配信効率を高めるために、乗車券のＩＤ（識別情報）のみ、あるいは乗車券のＩＤ、乗車券の乗車区間及び乗車券の乗車期間のみ等とすることができる。生成された乗車券情報のうち、どの項目の情報を配信するかは、乗車券の種類等によって適宜決められる。いずれにしても、各駅に配信される乗車券情報は、入場処理及び出場処理に必要な項目は全て含まれる。
【００２６】
また、中央管理装置１で生成された乗車券情報は、乗車券で入場できる乗車区間の全駅へ配信されるが、通信負荷を軽減して配信効率を高めるために、自動券売機ａで乗車券情報（２次元バーコードＣ3 ）が発売されたときは、その自動券売機ａの設置駅のみに配信される。さらに、出場処理に必要な乗車券情報の配信は、入場駅から入場情報を中央管理装置１が受信してから出場可能な各駅へ行うようにしてもよい。
【００２７】
次に、図４（ｂ）を用いて入出場の制御動作について説明する。先ず、利用者は、携帯電話機３を操作してその携帯電話機３の表示画面３ａに２次元バーコードＣ1 を表示させる。そして、その表示画面３ａを改札機Ｇの光学読取部１４にかざされる（Ｓ２００肯定）。光学読取部１４で読取られた２次元バーコードＣ1 の読取情報は、駅制７及び駅間ネットワークＬ2 を介して中央管理装置１に送信される（図４（ｂ）では省略）。なお、改札機Ｇの光学読取部１４にプリンタ６で用紙６ａに印字された２次元バーコードＣ2 がかざされた場合、及び自動券売機ａから発行された用紙ａ″に印字された２次元バーコードＣ3 が光学読取部１４にかざされた場合も、携帯電話機３のときと同様に読取処理される。
【００２８】
改札機Ｇの光学読取部１４にかざされた２次元バーコードＣ1 が初回であるとき、すなわち、未だその２次元バーコードＣ1 を用いた入場が行われていないときは、ドアＤ1 が開かれて（改札機Ｇがノーマルオープン型のときはそのまま）２次元バーコードＣ1 を用いた入場が許可されるとともに、入場した旨の所定の入場データが中央管理装置１に駅制７及び駅間ネットワークＬ2 を介して送信される（Ｓ２０２肯定、Ｓ２０４）。中央管理装置１は、入場データを受信すると、２次元バーコードＣ1 を用いた入場が行われた旨の情報を全入場可能駅に配信する（Ｓ２０６）。このようなネガティブ情報が各入場可能駅に送信されると、各入場可能駅にそれぞれ設置されている改札機Ｇの光学読取部１４に２次元バーコードＣ1 が再度かざされた場合、その２次元バーコードＣ1 を用いた入場は拒否される（Ｓ２０２否定、Ｓ２０３）。この場合、ドアＤ1 が閉じられて表示画面１２及びスピーカ１３を介して入場拒否理由が利用者に報知される。なお、プリンタ６で用紙６ａに印字された２次元バーコードＣ2 及び自動券売機ａから発行された用紙ａ″に印字された２次元バーコードＣ3 の場合も、携帯電話機３のときと同様に入場処理される。
【００２９】
携帯電話機３を所持した利用者が特急列車に乗車して所定の駅で降車し、その降車駅に設置されている改札機Ｇの光学読取部１４に表示画面３ａに表示されている２次元バーコードＣ1 をかざすと、その２次元バーコードＣ1 が読取られる（Ｓ２０８肯定）。改札機Ｇでは、読取られた２次元バーコードＣ1 の情報と中央管理装置１から配信されて記憶されている乗車券情報とを照合し、その照合一致が得られたときにドアＤ1 を開いて（改札機Ｇがノーマルオープン型のときはのまま）利用者の出場が許可されるとともに、２次元バーコードＣ1 を用いた出場処理が行われた旨の所定の出場データが駅制７及び駅間ネットワークＬ2 を介して中央管理装置１に送信される（Ｓ２１０肯定、Ｓ２１２）。
【００３０】
中央管理装置１は、出場データを受信すると、２次元バーコードＣ1 を用いた出場が行われた旨の情報を全出場可能駅に配信する（Ｓ２０６）。このようなネガティブ情報が各出場可能駅に送信されると、各出場可能駅にそれぞれ設置されている改札機Ｇの光学読取部１４に２次元バーコードＣ1 が再度かざされた場合、その２次元バーコードＣ1 を用いた出場は拒否される（Ｓ２１０否定、Ｓ２１１）。この場合、ドアＤ1 が閉じられて表示画面１２及びスピーカ１３を介して出場拒否理由が利用者に報知される。なお、プリンタ６で用紙６ａに印字された２次元バーコードＣ2 及び自動券売機ａから発行された用紙ａ″に印字された２次元バーコードＣ3 の場合も、携帯電話機３のときと同様に出場処理される。
【００３１】
上述の例では、２次元バーコードは、鉄道の乗車券情報として用いられる例を示したが、劇場や遊園地等の入場券情報、各種施設の利用券情報であってもよい。
【図面の簡単な説明】
【００３２】
【図１】本発明に係る券情報処理システムの概略構成図である。
【図２】改札機の斜視図である。
【図３】制御器のブロック図である。
【図４】制御動作を示すフローチャートである。
【符号の説明】
【００３３】
１  中央管理装置
２  金融機関のホストコンピュータ
３  携帯電話機
３ａ  表示画面
４  基地局
５  パーソナルコンピュータ（パソコン）
６  プリンタ
６ａ  用紙
７  駅制
Ｇ  改札機
１４  光学読取部
ａ  自動券売機
ａ″  用紙
Ｃ1 ，Ｃ2 ，Ｃ3   ２次元バーコード
Ｌ1   通信回線網
Ｌ2   通信回線網（駅間ネットワーク）
【図１】
2006059249.tif 000003
【図２】
2006059249.tif 000004
【図３】
2006059249.tif 000005
【図４】
2006059249.tif 000006